(57)【要約】【課題】前キャビネットと後キャビネットを接合するセルフタップネジによる切り粉が受像機内部に進入することを防ぐ。【解決手段】テレビジョン受像機は、受像部が配備される前キャビネット10と、内部からの熱を放熱する後キャビネット11を具えている。前キャビネット10は、金属製の前フレーム構成片20、20を繋ぎ合わせて構成され、前フレーム構成片20からは、後キャビネット11に対向する受け板21が側方外向きに突出し、該受け板21に前フレーム構成片20と後キャビネット11を螺合するセルフタップネジ用の孔22が開設されている。【選択図】図４
2008136041.tif 000002
【特許請求の範囲】
【請求項１】
受像部が配備される前キャビネット(10)と、内部からの熱を放熱する後キャビネット(11)を具え、
前キャビネット(10)は、金属製の前フレーム構成片(20)(20)を繋ぎ合わせて構成され、前フレーム構成片(20)からは、後キャビネット(11)に対向する受け板(21)が側方外向きに突出し、該受け板(21)に前フレーム構成片(20)と後キャビネット(11)を螺合するセルフタップネジ(７)用の孔(22)が開設されていることを特徴とするテレビジョン受像機。
【請求項２】
前フレーム構成片(20)は側方に、前記受け板(21)より内側に位置する第１条体(23)と、受け板(21)の前方に対向する第２条体(24)を具え、受け板(21)と第１条体(23)と第２条体(24)とで囲まれる空間Ｋは、セルフタップ形成時の切り粉を逃がすべく、側方又は下方が開口している、請求項１に記載のテレビジョン受像機。
【請求項３】
隣り合う前フレーム構成片(20)(20)は、互いに略直交して接合され、第１条体(23)には隣接する前フレーム構成片(20)と螺合するセルフタップネジ用のネジ孔(26)が開設されている、請求項２に記載のテレビジョン受像機。
【発明の詳細な説明】
【技術分野】
【０００１】
本発明は、特に屋外で使用されることを想定したテレビジョン受像機に関する。
【背景技術】
【０００２】
図７は、従来のテレビジョン受像機の側面図である(特許文献１参照)。テレビジョン受像機(１)は、ブラウン管(59)又は受像パネルが嵌まる前キャビネット(10)と、合成樹脂製の後キャビネット(11)を具える。後キャビネット(11)に通気口(12)が開設されて、後キャビネット(11)内の熱を外に逃がす。
【０００３】
【特許文献１】特開平８−２０５０５１号公報
【発明の開示】
【発明が解決しようとする課題】
【０００４】
出願人は、屋外のような風雨にさらされる場所で使用されることが想定されるテレビジョン受像機を着想した。この場合、従来の構成であると、通気口(12)から水が入り、内部回路をショートさせる虞れがある。また、合成樹脂製の後キャビネット(11)は一般にコストが掛かる。そこで出願人は、後キャビネット(11)を金属製として、後キャビネット(11)自体で放熱効果を持たせるとともに、内部に水等が進入することを防ぐことを発案した。
ここで以前から、前キャビネット(10)は外観や強度等に鑑みて金属製である。従って、後キャビネット(11)を金属製とすると、前キャビネット(10)と後キャビネット(11)を接合するには、ネジにて接合するのが一般的である。
従来から、前キャビネット(10)と後キャビネット(11)の内、ネジが螺合する側に、ネジ用のタップを設けることがあるが、別途タップを設ける工程が必要となる。そこでネジが螺合する側の部材がアルミニウム等の柔らかい金属の場合は、ネジが螺合する側に、タップを形成しない下孔を開けておき、ネジを螺合すると同時にタップを形成する所謂セルフタップネジが使用される。これにより、タップを設ける工程を省いて、コストダウンを図っている。
ところが、セルフタップネジでは、ネジを螺合すると同時にタップを形成するから、タップを形成する際に。ネジの削り滓である切り粉が発生する。この切り粉が後キャビネット(11)又は前キャビネット(10)に入ると、内部回路の動作に支障をきたす虞れがある。また、セルフタップネジ用の下孔から水等が受像機内部に進入することを防止する必要もある。
本発明の目的は、前キャビネット(10)と後キャビネット(11)を接合するセルフタップネジによる切り粉が受像機内部に進入することを防ぐことにある。また、セルフタップネジ用の下孔から水等が受像機内部に進入することを防止することも目的とする。
【課題を解決するための手段】
【０００５】
受像部が配備される前キャビネット(10)と、内部からの熱を放熱する後キャビネット(11)を具え、
前キャビネット(10)は、金属製の前フレーム構成片(20)(20)を繋ぎ合わせて構成され、前フレーム構成片(20)からは、後キャビネット(11)に対向する受け板(21)が側方外向きに突出し、該受け板(21)に前フレーム構成片(20)と後キャビネット(11)を螺合するセルフタップネジ用の孔(22)が開設されている。
前フレーム構成片(20)は側方に、前記受け板(21)より内側に位置する第１条体(23)と、受け板(21)の前方に対向する第２条体(24)を具え、受け板(21)と第１条体(23)と第２条体(24)とで囲まれる空間Ｋは、セルフタップ形成時の切り粉を逃がすべく、側方又は下方が開口している。
【発明の効果】
【０００６】
セルフタップネジ(７)用の孔(22)は、前フレーム構成片(20)から側方外向きに突出した受け板(21)に形成されるので、セルフタップネジ(７)螺合時に生じる切り粉は、前キャビネット(10)又は後キャビネット(11)内に入らず、空間Ｋの側方又は下方から排出される。  これにより、セルフタップ形成時の切り粉によって前キャビネット(10)又は後キャビネット(11)内の内部回路の動作に支障をきたす虞れはない。また、セルフタップネジ(７)用の孔(22)から水等が前キャビネット(10)又は後キャビネット(11)内に進入する虞れもない。
【発明を実施するための最良の形態】
【０００７】
以下、本発明の実施例を図を用いて、説明する。
図１は、本例のテレビジョン受像機(１)を前面から見た斜視図、図２は、後面から見た斜視図である。テレビジョン受像機(１)は、液晶パネル又はプラズマディスプレイパネル等の受像部が配備される前キャビネット(10)と、内部からの熱を放熱する後キャビネット(11)を具えている。両キャビネット(10)(11)の境界線は、図１、図２に於いて線Ｌにて示される。
前キャビネット(10)は金属製の前フレーム(２)からなり、該前フレーム(２)は４つの細長の前フレーム構成片(20)(20)を矩形状に繋ぎ合わせて構成される。後キャビネット(11)は、４つの金属製の後フレーム構成片(30)(30)を矩形状に繋ぎ合わせて構成される後フレーム(３)から成る。後フレーム(３)の後面開口(31)には、後記の如く、封止板(４)が被さって、後キャビネット(11)は密閉される。
本例に於けるテレビジョン受像機(１)は屋外で使用することを想定しており、後キャビネット(11)が密閉していることにより、内部に雨水等が進入する虞れを防いでいる。後キャビネット(11)内には、ファン(図示せず)が設けられて、内部の空気を循環させている。内部回路の発熱により、高温になった内部空気が循環されて後フレーム(３)に接することにより、外部に放熱される。
【０００８】
各前フレーム構成片(20)は、具体的にはアルミニウムの押出し成形から形成される。即ち、前フレーム構成片(20)は、アルミニウムを押出し成形した長尺材(図示せず)から、所望の長さに切り出して構成され、前フレーム構成片(20)の端面(20a)は前フレーム構成片(20)の長手方向に対して約４５度傾いている。これにより、隣り合う前フレーム構成片(20)(20)を互いに略直交して繋ぐことができる。
図３は、図１をＢ−Ｂ線を含む面にて破断した断面図である。後フレーム構成片(30)は複数のフィン(33)(34)を多段に具えており、後フレーム(３)の後面開口(31)には、封止板(４)が被さる。これにより、後キャビネット(11)が密閉されているから、後キャビネット(11)内部に水等が進入することを防ぐことができる。また、金属製の後フレーム(３)から複数のフィン(33)(34)が外向きに露出しているから、後キャビネット(11)が後フレーム(３)と封止板(４)によって密閉されていても、後キャビネット(11)内部からの熱は、外向きに放熱される。
【０００９】
図３に示すように、前キャビネット(10)内にて、受像部であるパネルユニット(５)の前には、透明なカバー板(50)が取り付けられている。カバー板(50)はガラス又はアクリルから形成されており、パネルユニット(５)を傷等から保護すると共に、防水効果を持たせている。換言すれば、パネルユニット(５)の前面が露出している構成に比して、カバー板(50)によって前キャビネット(10)内への水の進入を防止でき、防水効果が高い。
また、カバー板(50)の周囲に、防水用のゴム環(図示せず)を設けてもよい。
【００１０】
図４は、図３の前フレーム構成片(20)と後フレーム構成片(30)の左側部の拡大図である。前フレーム構成片(20)からは、後キャビネット(11)に対向する受け板(21)が側方外向きに突出している。該受け板(21)に前フレーム構成片(20)と後キャビネット(11)を螺合するセルフタップネジ(７)用の孔(22)が開設されている。セルフタップネジ(７)は後フレーム構成片(30)側から前フレーム構成片(20)に螺合する。
前フレーム構成片(20)はまた、受け板(21)より内側に位置する第１条体(23)と、受け板(21)の前方に対向する第２条体(24)と、受け板(21)より外側に位置する第３条体(25)を一体に具え、受け板(21)と第１条体(23)と第２条体(24)とにより空間Ｋを囲んでいる。空間Ｋの側方又は下方は開口している。第１条体(23)には、隣接する前フレーム構成片(20)と螺合するセルフタップネジ用の凹条であるネジ孔(26)が開設されている。ネジ孔(26)は断面略円形で、前フレーム構成片(20)の全長に亘って延びており、この詳細は後記する。
【００１１】
前キャビネット(10)と後キャビネット(11)を接合すべく、セルフタップネジ(７)を後フレーム構成片(30)に開設された貫通孔(37)を通って、孔(22)に螺合させる。セルフタップネジ(７)は孔(22)の周面にタップを設けながら螺合するので、孔(22)の周面から切り粉が生じる。この切り粉は、空間Ｋの側方又は下方から排出される。
上記の如く、セルフタップネジ(７)用の孔(22)は、前フレーム構成片(20)から側方外向きに突出した受け板(21)に形成されるので、セルフタップネジ(７)螺合時に生じる切り粉は、前キャビネット(10)又は後キャビネット(11)内に入らず、空間Ｋの側方又は下方から排出される。これにより、セルフタップ形成時の切り粉によって前キャビネット(10)又は後キャビネット(11)内の内部回路の動作に支障をきたす虞れはない。また、セルフタップネジ(７)用の孔(22)から水等が前キャビネット(10)又は後キャビネット(11)内に進入する虞れもない。
【００１２】
図５は、図１に示す前キャビネット(10)の左側部の前フレーム構成片(20)と、上端部の前フレーム構成片(20)とを接合する状態を示す分解斜視図である。前記の如く、両前フレーム構成片(20)は隣接しており、左側部の前フレーム構成片(20)の外側から、セルフタップネジ(70)にて接合される。両前フレーム構成片(20)(20)は、アルミニウムを押出し成形した長尺材から切り出して構成されるので、断面形状は同じである。
図６は、図５をＣ−Ｃ線を含む面にて破断した断面図である。左側部の前フレーム構成片(20)の第３条体(25)には、セルフタップネジ(70)が通る透孔(27)が開設され、セルフタップネジ(70)は透孔(27)を通って、上端部の前フレーム構成片(20)のネジ孔(26)に螺合する。このようにして、互いに直交して隣接する前フレーム構成片(20)(20)が接合される。
本例では、ネジ孔(26)は前フレーム構成片(20)の全長に亘って貫通しているが、これは前フレーム構成片(20)が押出し成形によって形成されるためであり、必ずしも全長に亘って延びている必要はない。
また、左側部の前フレーム構成片(20)と、上端部の前フレーム構成片(20)とを接合する状態を示したのは、あくまでも例示であって、他の隣り合う前フレーム構成片(20)(20)も同様に接合される。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記実施例にて、テレビジョン受像機(１)を屋外で使用することを想定しているが、屋外での使用に限定されず、屋内で使用してもよい。
【図面の簡単な説明】
【００１４】
【図１】テレビジョン受像機を前面から見た斜視図である。
【図２】テレビジョン受像機を後面から見た斜視図である。
【図３】図１をＢ−Ｂ線を含む面にて破断した断面図である。
【図４】図３の前フレーム構成片と後フレーム構成片の左側部の拡大図である。
【図５】図１に示す前キャビネットの左側部の前フレーム構成片と、上端部の前フレーム構成片とを接合する状態を示す分解斜視図である。
【図６】図５をＣ−Ｃ線を含む面にて破断した断面図である。
【図７】従来のテレビジョン受像機の側面図である。
【符号の説明】
【００１５】
(10)  前キャビネット
(11)  後キャビネット
(20)  前フレーム構成片
(21)  受け板
(23)  第１条体
(24)  第２条体
(26)  ネジ孔
【図１】
2008136041.tif 000003
【図２】
2008136041.tif 000004
【図３】
2008136041.tif 000005
【図４】
2008136041.tif 000006
【図５】
2008136041.tif 000007
【図６】
2008136041.tif 000008
【図７】
2008136041.tif 000009